(57)【要約】【課題】  小型化したオストメイト用汚物流しにおいて、ボウル部からの洗浄水の溢れを抑制しつつ、リム面の上方付近まで洗浄できるオストメイト用汚物流しを提供すること。【解決手段】  建物の壁面に沿って配置されるオストメイト用汚物流しであって、汚物受け面と、棚面と、を備えた略楕円形状のボウル部と、トラップ管路と、給水路と、リム面に開口された吐水口と、を有する吐水部と、を備え、吐水口は、ボウル部を前後方向でニ等分する前後ニ等分線と、左右方向でニ等分する左右ニ等分線と、によって仕切られる４つの象限において、いずれかの象限に形成されており、棚面は、前後ニ等分線と左右二等分線の交点に対して吐水口が配置された象限と点対称となる象限において、その高さが下方に向かって徐々に低くなり、その後、上方に向かって徐々に高くなるように形成されていることを特徴とする。【選択図】  図５
2018130458.tif 000002
【特許請求の範囲】
【請求項１】
建物の壁面に沿って配置されるオストメイト用汚物流しであって、
ボウル形状の汚物受け面と、この汚物受け面の上方に形成されたリム面と、このリム面と前記汚物受け面との間に周回して形成され、略水平に突出した棚面と、を備えた略楕円形状のボウル部と、
このボウル部の下方から前記壁面に向かって上昇するように形成され、前記汚物受け面の下方に封水を形成するトラップ管路と、
給水源から洗浄水を供給する給水路と、前記ボウル部のリム面に開口され、前記給水路から給水された洗浄水を前記リム面に沿って水平方向に旋回するように前記棚面上に吐水する吐水口と、を有する吐水部と、
を備え、
前記吐水部の吐水口は、前記ボウル部を前後方向でニ等分する前後ニ等分線と、前記ボウル部を左右方向でニ等分する左右ニ等分線と、によって仕切られる４つの象限において、いずれかの象限に形成されており、
前記ボウル部の棚面は、前記前後ニ等分線と前記左右二等分線の交点に対して前記吐水部の吐水口が配置された象限と点対称となる象限において、その高さが下方に向かって徐々に低くなり、その後、上方に向かって徐々に高くなるように形成されていることを特徴とするオストメイト用汚物流し。
【請求項２】
前記ボウル部の棚面は、前記点対象となる象限における前記棚面の中点よりも下流側において、その高さが最も低くなることを特徴とする請求項１記載のオストメイト用汚物流し。
【請求項３】
前記ボウル部の棚面は、前記点対称の象限の次の象限以降において、その高さが、徐々に高くなっており、前記吐水部の吐水口の位置での前記棚面の高さより高くなるように形成されていることを特徴とする請求項２記載のオストメイト用汚物流し。
【請求項４】
前記ボウル部の棚面は、その高さが滑らかに連続していることを特徴とする請求項３記載のオストメイト用汚物流し。
【発明の詳細な説明】
【技術分野】
【０００１】
本発明は、人工肛門や人工膀胱などの保持者である「オストメイト」と呼ばれる方々が使用するオストメイト用汚物流しに関する。
【背景技術】
【０００２】
人工肛門や人工膀胱などの保持者であるオストメイトと呼ばれる方々は、身体の腹部に排泄物（以下、汚物という）を溜めておくための袋、いわゆるパウチを装着しており、所定時刻や所定の時間間隔毎に、トイレにおいて溜まった汚物を廃棄したり、パウチの内面、ストーマ（腹部に造設された排泄口）、ストーマ付近の腹部などに着いた汚物を洗い流したりするなどの作業を行う必要がある。
【０００３】
オストメイトと呼ばれる方々が外出先で作業を行うための専用設備として、例えば特許文献１に記載されたオストメイト用汚物流しが提案されている。
【０００４】
この特許文献１に記載されたオストメイト用汚物流しにおいては、洗浄水がボウル部の棚面に吐水され、洗浄水がリム面に沿って棚面上を旋回しながら、ボウル部内に廃棄された汚物を排出するように構成されている。
これによって、近年の節水化のニーズにより、オストメイト汚物流しに使用する１回当たりに流す洗浄水量を削減した場合でも、旋回流によってボウル部の全体を洗浄することができる。
【０００５】
近年、バリアフリー法の施行に伴い、公共施設においては多目的用トイレルームの設置が促進されているが、その障壁となるのがスペースの確保である。即ち、多目的トイレルームは車椅子利用者が利用するために健常者が利用する一般的なトイレルームよりも広い面積が必要となる。
そのため、多目的トイレルームに設置されるオストメイト用汚物流しには、狭い面積でも設置できる小型化の要望が高まってきている。
【０００６】
オストメイト用汚物流しを小型化する際は、ボウル部と壁面との間に給水流路やトラップ管路等の管路を配置するための管路配置スペースが必要になるため、単純にボウル部の縮尺を小さくすることはできない。
また、オストメイト用汚物流しの小型化において、オストメイトの方々の使い勝手を考慮してボウル部の開口面積を大きくするのが好ましいが、ボウル部の開口形状を、例えば、長方形などにしてボウル部の開口面積を大きくすると、洗浄水の旋回性が悪くなり洗浄性能が低下する。
そのため、特許文献１に記載されているオストメイト用汚物流しを小型化して、そのボウル部の開口形状を横長の略楕円形状にすることで、管路配置スペースを確保でき、且つ、ボウル部の開口面積が大きく、洗浄性能が良好なようにすることが考えられる。
【先行技術文献】
【特許文献】
【０００７】
【特許文献１】特許第０４９４１３３６号
【発明の概要】
【発明が解決しようとする課題】
【０００８】
しかしながら、小型化のためにボウル部の開口を横長の略楕円形状にしたオストメイト用汚物流しにおいて、特許文献１のようにボウル部の左右二等分線よりも後方側から前方に向けて吐水を行った場合、ボウル部の左右二等分線と前後ニ等分線によって仕切られる４つの象限のうち、吐水口の配置された象限と前後ニ等分線と左右二等分線の交点に対して点対称になる象限において、棚面を旋回する洗浄水に汚物受け面を流れる洗浄水が棚面に乗り上げ合流し、棚面の洗浄水の水位が上昇しボウル部から洗浄水が溢れてしまうという問題があった。これは、ボウル部が楕円形状で従来のオストメイト用汚物流しよりも曲率が大きく、棚面を旋回する洗浄水の速度が低下しやすいことが原因である。
【０００９】
そのため、吐水口から吐水される洗浄水の初速を大きくし、上述した点対称になる象限においての洗浄水の速度を大きくすると、上述した点対称になる象限よりも前の象限で、洗浄水の速度が大きくなりすぎてしまい、洗浄水がボウル部から溢れてしまう。また、棚面の位置を全体的に低くし、洗浄水の溢れを抑制すると、ボウル部のリム面の上方を洗浄できず、リム面に付着した汚物が残ってしまう。
【００１０】
本発明は、上記問題を解決するためになされたものであり、本発明の課題は、小型化したオストメイト用汚物流しにおいて、ボウル部からの洗浄水の溢れを抑制しつつ、リム面の上方付近まで洗浄できるオストメイト用汚物流しを提供することを目的としている。
【課題を解決するための手段】
【００１１】
前述した目的を達成するために、本発明は、建物の壁面に沿って配置されるオストメイト用汚物流しであって、ボウル形状の汚物受け面と、この汚物受け面の上方に形成されたリム面と、このリム面と汚物受け面との間に周回して形成され、略水平に突出した棚面と、を備えた略楕円形状のボウル部と、このボウル部の下方から壁面に向かって上昇するように形成され、汚物受け面の下方に封水を形成するトラップ管路と、給水源から洗浄水を供給する給水路と、ボウル部のリム面に開口され、給水路から給水された洗浄水をリム面に沿って水平方向に旋回するように棚面上に吐水する吐水口と、を有する吐水部と、を備え、吐水部の吐水口は、ボウル部を前後方向でニ等分する前後ニ等分線と、ボウル部を左右方向でニ等分する左右ニ等分線と、によって仕切られる４つの象限において、いずれかの象限に形成されており、ボウル部の棚面は、前後ニ等分線と左右二等分線の交点に対して吐水部の吐水口が配置された象限と点対称となる象限において、その高さが下方に向かって徐々に低くなり、その後、上方に向かって徐々に高くなるように形成されていることを特徴とする。
【００１２】
このように構成された本発明においては、汚物受け面を流れる洗浄水が棚面に乗り上げ合流する位置での棚面の高さを比較的低く、汚物受け面を流れる洗浄水が棚面に乗り上げくい位置での棚面の高さを比較的高くできるので、ボウル部から洗浄水が溢れることを抑制しつつ、リム面の上方まで洗浄を行い、汚物残りを抑制することができる。
【００１３】
本発明において、好ましくは、ボウル部の棚面は、点対象となる象限における棚面の中点よりも下流側において、その高さが最も低くなることを特徴とする。
【００１４】
このように構成された本発明においては、点対象となる象限において、最も流速及び流量の低下の著しい箇所において、棚面の高さを最も低くすることができ、ボウル部からの洗浄水の溢れをより確実に抑制することができる。
【００１５】
本発明において、好ましくは、ボウル部の棚面は、点対称となる象限の次の象限以降において、その高さが、徐々に高くなっており、吐水部の吐水口の位置での棚面の高さより高くなるように形成されていることを特徴とする。
【００１６】
このように構成された本発明においては、点対称となる象限の次の象限以降、つまり、洗浄水の水量が少なく、かつ、摩擦により洗浄水の流速が落ちている棚面において、棚面によって洗浄水を持ち上げ、リム面の上方まで洗浄を行い、汚物残りを抑制することができる。
【００１７】
本発明において、好ましくは、ボウル部の棚面は、その高さが滑らかに連続していることを特徴とする。
【００１８】
このように構成された本発明においては、棚面が段差上で高さが徐々に変わる場合と比較して、棚面での無駄な摩擦を減少させ洗浄水の流速低下を抑制でき、リム面の上方まで洗浄を行い、汚物残りを抑制することができる。
【発明の効果】
【００１９】
本発明によれば、小型化したオストメイト用汚物流しにおいて、ボウル部からの洗浄水の溢れを抑制しつつ、リム面の上方付近まで洗浄できるオストメイト用汚物流しを提供することができる。
【図面の簡単な説明】
【００２０】
【図１】本発明の第１実施形態によるオストメイト用汚物流しの斜視図である。
【図２】図１の上面図である。
【図３】図２のIII−III線における断面図である。
【図４】図３のIV―IV線における断面図である。
【図５】本発明の第１実施形態によるオストメイト用汚物流しの棚面の高さを示す模式図である。
【図６】本発明の第２実施形態によるオストメイト用汚物流しの棚面を示す断面図である。
【図７】本発明の第２実施形態によるオストメイト用汚物流しの棚面の高さを示す模式図である。
【発明を実施するための形態】
【００２１】
以下、本発明の第１の実施形態について添付図面を参照しながら説明する。なお、各図面中、同様の構成要素には同一の符号を付して詳細な説明は適宜省略する。
【００２２】
まず、図１乃至図３を用いて、本発明の第１実施形態によるオストメイト用汚物流しの基本構造を説明する。図１は、本発明の第１実施形態によるオストメイト用汚物流しの斜視図である。図２は図１の上面図である。図３は、図２のIII−III線における断面図である。
【００２３】
図１乃至図３に示すように、オストメイト用汚物流し１は、多目的トイレルームの壁面Ｋに壁掛け状に取り付けられて使用される。
なお、以降の説明においては、壁面Ｋに向かってオストメイト用汚物流し１の正面に立った使用者から見て、壁面Ｋに向かう側を「後方側」、壁面Ｋから離れる側を「前方側」と呼び、鉛直方向上側を「上方側」、鉛直方向下側を「下方側」と呼び、左右夫々の側を「左方側」、「右方側」と呼んで説明を行う。
【００２４】
オストメイト用汚物流し１は、陶器製のボウル部３と、このボウル部３の下方側に形成された溜水部５と、ボウル部３の後方側面の右方側に設けられた吐水部７と、壁面Ｋに取り付けられた水栓装置９と、を備える。また、溜水部５の下部には、トラップ管路１１（図３）が接続されている。
【００２５】
ボウル部３は、上方側が開口され、その上面視において（図２参照）、横長の略楕円形状に形成された椀状であり、オストメイトの方々がパウチ内の汚物を投入できるようになっている。また、ボウル部３は、その上面視において（図２参照）、横長の略楕円形状に形成されているため、壁面Ｋからの前出を抑えながら、汚物が投入される左右方向の開口面積を確保することができ、汚物の投入性を維持しながら壁面Ｋからの突出量を抑えることができる。
【００２６】
溜水部５は、ボウル部３の下方の中央位置からが窪むように形成され、下水配管との縁切りのための封水が溜まっている。
【００２７】
吐水部７は、ボウル部３の後方に設けられた給水路１２（図４参照）と、給水路の下流端に形成された吐水口１３と有する。吐水部７の給水路には、口径３５ｍｍの給水配管（図示せず）と接続されている。
この吐水部７は、壁面Ｋに設けられた洗浄ボタン１５を操作することで、給水配管に設けられたフラッシュバルブ（図示せず）が開弁して吐水口１３から吐水を行い、ボウル部３を洗浄することができる。
また、吐水部７はその覆い形状によって洗浄水が飛散することを防止すると共に、局部的な段差形状によって、ボウル部３の全体形状が一様な形状として感じられるよう、意匠的な配慮も実施されている。
水栓装置９は、壁面Ｋ内部に設けられた給水配管（図示せず）に接続され、その給水配管によって供給された水または湯を吐水可能であり、オストメイトの方々が汚物を廃棄した後のパウチ等の洗浄を行うことができる。
【００２８】
図３に示すように、トラップ管路１１は、溜水部５後方側下部と連通した排水流入口１１ａから後方側の壁面Ｋに向かって上昇しながら延び、その下流端である排水流出口１１ｂが壁面Ｋに向かって開口している。このトラップ管路１１により、溜水部５に封水を形成することができる。
また、トラップ管路１１は、その排水流出口１１ｂが壁面Ｋの排水配管（図示せず）と接続されており、パウチから廃棄された汚物を下水配管に排出することができる。
【００２９】
つぎに、図２、図３に基づいてボウル部３の具体的な形状について説明する。
【００３０】
図２及び図３に示すように、ボウル部３は、汚物受け面１７と、この汚物受け面１７の上方に形成されたリム面１９と、このリム面１９と汚物受け面１７の間に形成された棚面２１と、を備える。
【００３１】
汚物受け面１７は、ボウル形状であり、その下方の略中央位置には、溜水部５が形成されている。
リム面１９は、略鉛直方向に伸び、周囲を囲むように形成されており、洗浄水を吐水する吐水部７の吐水口１３が開口されている。
リム面１９の上方は、ボウル部３の全周において、棚面２１の少なくとも一部を覆うように内側に向かってオーバーハングした形状に形成されている。このオーバーハングした形状により、オストメイトの方々が汚物を廃棄する際に、汚物受け面１７に近接して落下させやすく、汚物が棚面２１に落下しにくくなる。そのため、汚物が棚面２１に付着しにくくなり、棚面２１を旋回する洗浄水が汚物に衝突することで起こる洗浄水の水飛びの発生を抑制することができる。
【００３２】
棚面２１は、リム面１９と汚物受け面１７の間に周回して形成され、略水平に突出している。この棚面２１は、リム面１９に開口された吐水口１３から吐水された洗浄水を載せて、リム面１９に沿って水平方向に旋回する旋回流を形成している。
また、棚面２１は、ボウル部３の前方側の中央位置において、その一部が切り欠かれ、溜水部５に向かって拡幅する形状となっている。
これによって、棚面２１を旋回する洗浄水の一部を溜水部５へ向かうように誘導することができる。
【００３３】
つぎに、図４及び図５に基づいて棚面２１の具体的な形状について説明する。
【００３４】
図４は、図３のIV―IV線における断面図である。図５は、本発明の第１実施形態によるオストメイト用汚物流しの棚面の高さを示す模式図である。本実施形態において、図４に示す棚面２１における位置Ｐａ、Ｐｂ、Ｐｃ、Ｐｄ、Ｐｅ、Ｐｆ、Ｐｘ、Ｐｙは、図５に示す位置と対応している。
【００３５】
図４に示すように、吐水部７の吐水口１３は、ボウル部３を前後方向でニ等分する前後ニ等分線Ｃ１と、ボウル部３を左右方向でニ等分する左右ニ等分線Ｃ２と、によって仕切られる４つの象限において、第１象限に設けられ、第１象限の左方側である第２象限に向かって洗浄水Ｗ１を吐水するように開口が形成されている。この際、吐水口１３から吐水された洗浄水Ｗ１は位置Ｐａから位置Ｐｆまで棚面２１に沿って反時計回りに流れる。また、洗浄水Ｗ１は棚面２１との摩擦により流速が低下し棚面２１から適宜流れ落ち、棚面２１から流れ落ちた洗浄水Ｗ２は汚物受け面１７を旋回する。
なお、本実施形態において、ボウル部の右側後方側の象限を第１象限として第１象限乃至第４象限を決定し、吐水口の位置を位置Ｐａとしてそこから洗浄水の流れの方向に沿って、位置Ｐａ乃至位置Ｐｆを決定している。
【００３６】
図４及び図５に示すように、まず、第１象限から第２象限（位置Ｐａから位置Ｐｃ）において、棚面２１の高さは、略一定に形成されている。なお、棚面２１の高さは、吐水口１３の開口された位置である位置Ｐａの棚面２１の高さを基準とする。
つぎに、第３象限（位置Ｐｃから位置Ｐｄ）において、棚面２１は、その高さが下方に向かって徐々に低くなり、位置Ｐｘで最も低くなった後、位置Ｐａでの高さと同じになるまで上方に向かって徐々に高くなるように滑らかに連続して形成されている（図４の波線）。この位置Ｐｘは、第３象限における棚面２１の中点よりも下流側に位置しており、洗浄水Ｗ２が最も棚面２１に乗り上げやすい位置である。このように棚面２１の高さが連続的に変化していることにより、第３象限において、汚物受け面１７を流れる洗浄水Ｗ２が棚面２１に乗り上げ合流しやすい位置である位置Ｐｘでの棚面２１の高さを比較的低く、汚物受け面１７を流れる洗浄水が棚面２１に乗り上げくい位置である位置Ｐｘ以外での棚面２１の高さを比較的高くできるので、ボウル部３から洗浄水が溢れることを抑制しつつ、リム面１９の上方まで洗浄を行い、汚物残りを抑制することができる。
【００３７】
つぎに、第４象限（位置Ｐｄから位置Ｐｅ）において、棚面２１は、その高さが、上方に向かって徐々に高くなり、位置Ｐｙで最も高くなった後、位置Ｐａと同じ高さになるまで下方に向かって徐々に低くなるように滑らかに連続して形成されている（図４のドット線）。つまり、第４象限における棚面２１の高さは、吐水口１３の開口された位置Ｐａの棚面２１の高さより高くなるように形成されている。この第４象限において、洗浄水Ｗ１は、その水量が少なく、かつ、棚面２１との摩擦により流速が落ちているが、棚面２１によって持ち上げられ、リム面１９の上方まで洗浄を行うことができる。なお、第４象限（位置Ｐｄから位置Ｐｅ）において、位置Ｐｙから位置Ｐｅにかけて棚面２１の高さは、位置Ｐａと同じ高さになるまで徐々に低くなっているが、棚面２１の高さが徐々に低くならず位置Ｐｙの高さのままで位置Ｐｅまで形成されていてもよい。
最後に、第１象限（位置Ｐｅから位置Ｐｆ）において、棚面２１の高さは、位置Ｐｅの棚面２１の高さと同じ高さで略一定に形成されている。
【００３８】
つぎに、上述した本発明の第１実施形態によるオストメイト用汚物流し１における作用について説明する。
【００３９】
まず、本発明の第１実施形態によるオストメイト用汚物流し１によれば、ボウル部３の棚面２１は、前後ニ等分線Ｃ１と左右二等分線Ｃ２の交点Ｉに対して吐水部７の吐水口１３が配置された第１象限と点対称となる第３象限において、その高さが下方に向かって徐々に低くなり、その後、上方に向かって徐々に高くなるように形成されている。
そのため、汚物受け面１７を流れる洗浄水Ｗ２が棚面２１に乗り上げ合流する位置での棚面２１の高さを比較的低く、汚物受け面１７を流れる洗浄水Ｗ２が棚面２１に乗り上げくい位置での棚面２１の高さを比較的高くできるので、ボウル部３から洗浄水Ｗ１が溢れることを抑制しつつ、リム面１９の上方まで洗浄を行い、汚物残りを抑制することができる。
【００４０】
また、本発明の第１実施形態によるオストメイト用汚物流し１によれば、ボウル部３の棚面２１は、第１象限と点対象となる第３象限における棚面２１の中点よりも下流側において、その高さが最も低くなっている。
そのため、点対象の第３象限において、最も流速及び流量の低下の著しい箇所である位置Ｐｘにおいて、棚面２１の高さを最も低くすることができ、ボウル部３からの洗浄水Ｗ１の溢れをより確実に抑制することができる。
【００４１】
また、本発明の第１実施形態によるオストメイト用汚物流し１によれば、ボウル部３の棚面２１は、第１象限と点対称となる第３象限の次の象限である第４象限以降において、その高さが、徐々に高くなっており、吐水部７の吐水口１３の位置Ｐａでの棚面２１の高さより高くなるように形成されている。
そのため、第３象限の次の第４象限以降、つまり、洗浄水Ｗ１の水量が少なく、かつ、摩擦により洗浄水Ｗ１の流速が落ちている棚面２１において、棚面２１によって洗浄水Ｗ１を持ち上げ、リム面１９の上方まで洗浄を行い、汚物残りを抑制することができる。
【００４２】
また、本発明の第１実施形態によるオストメイト用汚物流し１によれば、ボウル部３の棚面２１は、その高さが滑らかに連続している。
そのため、棚面２１が段差上で高さが徐々に変わる場合と比較して、棚面２１での無駄な摩擦を減少させ洗浄水Ｗ１の流速低下を抑制でき、リム面１９の上方まで洗浄を行い、汚物残りを抑制することができる。
【００４３】
つぎに、図６および図７を用いて、本発明の第２実施形態におけるオストメイト用汚物流し２について、説明を行う。
図６は、本発明の第２実施形態によるオストメイト用汚物流しの棚面を示す平面視断面図である。図５は、本発明の第２実施形態によるオストメイト用汚物流しの棚面の高さを示す模式図である。本実施形態において、図６に示す棚面３３における位置Ｐａ、Ｐｂ、Ｐｃ、Ｐｄ、Ｐｅ、Ｐｆ、Ｐｘ、Ｐｙは、図７に示す位置と対応している。また、この第２実施形態において、上述した第１実施形態と同一部分には同一符号を付し、それらの説明は省略する。
【００４４】
図６に示すように、本発明の第２実施形態におけるオストメイト用汚物流し２は、楕円形状のボウル部３０と、ボウル部３０の後方側面の左方側に設けられた吐水部３１が備えられている。ボウル部３０は、汚物受け面１７と、棚面３３と、汚物受け面１７の上方に形成されたリム面１９と、を有する。吐水部３１は、給水路１２と、給水路１２の下流端に形成された吐水口３５と有する。
【００４５】
吐水部３１の吐水口３５は、ボウル部３０を前後方向でニ等分する前後ニ等分線Ｃ１と、ボウル部３０を左右方向でニ等分する左右ニ等分線Ｃ２と、によって仕切られる４つの象限において、第２象限に設けられ、第２象限の前方側である第３象限に向かって洗浄水Ｗ１を吐水するように開口が形成されている。この際、吐水口３５から吐水された洗浄水Ｗ１は位置Ｐａから位置Ｐｆまで棚面３３に沿って反時計回りに流れる。また、洗浄水Ｗ１は棚面３３との摩擦により流速が低下し棚面３３から適宜流れ落ち、棚面３３から流れ落ちた洗浄水Ｗ２は汚物受け面１７を旋回する。
【００４６】
図６及び図７に示すように、まず、第２象限から第３象限（位置Ｐａから位置Ｐｃ）において、棚面３３の高さは、略一定に形成されている。なお、棚面３３の高さは、吐水口３５の開口された位置である位置Ｐａの棚面３３の高さを基準とする。
つぎに、第４象限（位置Ｐｃから位置Ｐｄ）において、棚面３３は、その高さが下方に向かって徐々に低くなり、位置Ｐｘで最も低くなった後、位置Ｐａでの高さと同じになるまで上方に向かって徐々に高くなるように滑らかに連続して形成されている（図６の波線）。この位置Ｐｘは、第４象限における棚面３３の中点よりも下流側に位置しており、洗浄水Ｗ２が最も棚面３３に乗り上げやすい位置である。このように棚面３３の高さが連続的に変化していることにより、第４象限において、汚物受け面１７を流れる洗浄水Ｗ２が棚面３３に乗り上げ合流しやすい位置である位置Ｐｘでの棚面３３の高さを比較的低く、汚物受け面１７を流れる洗浄水が棚面３３に乗り上げくい位置である位置Ｐｘ以外での棚面３３の高さを比較的高くできるので、ボウル部３０から洗浄水が溢れることを抑制しつつ、リム面１９の上方まで洗浄を行い、汚物残りを抑制することができる。
【００４７】
つぎに、第１象限（位置Ｐｄから位置Ｐｅ）において、棚面３３は、その高さが、上方に向かって徐々に高くなり、位置Ｐｙで最も高くなった後、位置Ｐａと同じ高さになるまで下方に向かって徐々に低くなるように滑らかに連続して形成されている（図６のドット線）。つまり、第１象限における棚面３３の高さは、吐水口３５の開口された第２象限の棚面３３の高さより高くなるように形成されている。この第１象限において、洗浄水Ｗ１は、その水量が少なく、かつ、棚面３３との摩擦により流速が落ちているが、棚面３３によって持ち上げられ、リム面１９の上方まで洗浄を行うことができる。なお、第１象限（位置Ｐｄから位置Ｐｅ）における位置Ｐｙから位置Ｐｅにかけて棚面３３の高さは、位置Ｐａと同じ高さになるまで徐々に低くなっているが、棚面３３の高さが徐々に低くならず位置Ｐｙの高さのままで位置Ｐｅまで形成されていてもよい。
最後に、第２象限（位置Ｐｅから位置Ｐｆ）において、棚面３３の高さは、位置Ｐｅの棚面３３の高さと同じ高さで略一定に形成されている。
【００４８】
つぎに、上述した本発明の第２実施形態によるオストメイト用汚物流し２における作用について説明する。
【００４９】
まず、本発明の第２実施形態によるオストメイト用汚物流し１によれば、ボウル部３０の棚面３３は、前後ニ等分線Ｃ１と左右二等分線Ｃ２の交点Ｃに対して吐水部３１の吐水口３５が配置された第２象限と点対称となる第４象限において、その高さが下方に向かって徐々に低くなり、その後、上方に向かって徐々に高くなるように形成されている。
そのため、汚物受け面１７を流れる洗浄水Ｗ２が棚面３３に乗り上げ合流する位置での棚面３３の高さを比較的低く、汚物受け面１７を流れる洗浄水Ｗ２が棚面３３に乗り上げくい位置での棚面３３の高さを比較的高くできるので、ボウル部３０から洗浄水Ｗ１が溢れることを抑制しつつ、リム面１９の上方まで洗浄を行い、汚物残りを抑制することができる。
【００５０】
また、本発明の第２実施形態によるオストメイト用汚物流し２によれば、ボウル部３０の棚面３３は、第２象限と点対象となる第４象限における棚面３３の中点よりも下流側の位置Ｐｘにおいて、その高さが最も低くなっている。
そのため、第２象限と点対象となる第４象限において、最も流速及び流量の低下の著しい箇所である位置Ｐｘにおいて、棚面３３の高さを最も低くすることができ、ボウル部３０からの洗浄水Ｗ１の溢れをより確実に抑制することができる。
【００５１】
また、本発明の第２実施形態によるオストメイト用汚物流し２によれば、ボウル部３０の棚面３３は、第２象限と点対称となる第４象限の次の象限である第１象限以降において、その高さが、徐々に高くなっており、吐水部３１の吐水口３５の位置での棚面３３の高さより高くなるように形成されている。
そのため、第４象限の次の第１象限、つまり、洗浄水Ｗ１の水量が少なく、かつ、摩擦により洗浄水Ｗ１の流速が落ちている棚面３３において、棚面３３によって洗浄水Ｗ１を持ち上げ、リム面１９の上方まで洗浄を行い、汚物残りを抑制することができる。
【００５２】
また、本発明の第２実施形態によるオストメイト用汚物流し２によれば、ボウル部３０の棚面３３は、その高さが滑らかに連続している。
そのため、棚面３３が段差上で高さが徐々に変わる場合と比較して、棚面３３での無駄な摩擦を減少させ洗浄水Ｗ１の流速低下を抑制でき、リム面１９の上方まで洗浄を行い、汚物残りを抑制することができる。
【００５３】
以上、本発明の実施形態について説明した。しかし、本発明はこれらの記述に限定されるものではなく、例えば、オストメイト用汚物流しは、壁掛けでなく、床置きされているものであってもよく、壁面Ｋに沿って配置されているものであればよい。
また、本実施形態において、洗浄水Ｗ１は、反時計回りに旋回し棚面を流れるが、棚面を旋回する方向は半時計周りでなく時計回りになるように、吐水口を形成しても良い。
【符号の説明】
【００５４】
１、２        オストメイト用汚物流し
３        ボウル部
５        溜水部
７        吐水部
９      水栓装置
１１    トラップ管路
１２    給水路
１１ａ    排水流入口
１１ｂ    排水流出口
１３        吐水口
１５        洗浄ボタン
１７        汚物受け面
１９        リム面
２１        棚面
３０        ボウル部
３１        吐水部
３３        棚面
３５        吐水口
【図１】
2018130458.tif 000003
【図２】
2018130458.tif 000004
【図３】
2018130458.tif 000005
【図４】
2018130458.tif 000006
【図５】
2018130458.tif 000007
【図６】
2018130458.tif 000008
【図７】
2018130458.tif 000009